(57)【要約】【課題】読取ユニットの固定を解除する作業を煩雑にすることなく、読取ユニットを収容する筐体内に埃などの異物が侵入するのを防ぐ。【解決手段】筐体５２と、載置読取用プラテンガラス１６２等に載置された原稿の画像を光学的に読み取る読取ユニット５３と、筐体５２に穿設された第１貫通孔９１と、固定場所に位置する読取ユニット５３に、第１貫通孔９１に対向して穿設された第２貫通孔８６と、第１貫通孔９１及び第２貫通孔８６に挿入することで、読取ユニット５３を筐体５２内で固定させる挿入部材１０２と、第１貫通孔９１を塞ぎ、挿入部材１０２の挿入方向に伸縮自在な弾性部材１１０とを備え、弾性部材１１０を、挿入部材１０２が挿入されると、挿入部材１０２の形状に沿って変形して、読取ユニット１０２の中に入り込み、挿入部材１０２が抜去されると、読取ユニット１０２の中に入り込まないように形成する。【選択図】図３
2018207158.tif 000002
【特許請求の範囲】
【請求項１】
筐体の上部に設けられた、原稿を載置する原稿載置面の下方に配置され、前記筐体内で前記原稿載置面に沿って水平方向に移動可能とされ、前記原稿載置面に載置された原稿の画像を光学的に読み取る読取ユニットと、前記筐体に穿設された第１貫通孔と、予め定められた場所に位置する前記読取ユニットに、前記第１貫通孔に対向させて穿設された第２貫通孔と、前記第１貫通孔を塞いで伸縮自在な弾性部材とを備える画像読取装置に適用される挿入部材であって、
前記第１貫通孔及び前記第２貫通孔に挿入されることで前記読取ユニットの前記水平方向における移動を制止させて、前記読取ユニットを前記筐体内で固定し、前記挿入部材の挿入方向に前記伸縮部材を伸縮させ、
前記弾性部材を、前記挿入部材が挿入される前は、前記読取ユニットの前記第２貫通孔の中に入り込まない形状とさせておき、
前記挿入部材が前記挿入方向に挿入されたときに、前記挿入部材の形状に沿って変形させて、前記読取ユニットの前記第２貫通孔の中に入り込む形状に変形させ、
前記挿入部材が前記第１貫通孔及び前記第２貫通孔から抜去されたときには、挿入前の前記第２貫通孔の中に入り込まない形状に復帰させる挿入部材。
【請求項２】
筐体と、
前記筐体の上部に設けられた、原稿を載置する原稿載置面と、
前記原稿載置面の下方に配置され、前記筐体内で前記原稿載置面に沿って水平方向に移動可能とされ、前記原稿載置面に載置された原稿の画像を光学的に読み取る読取ユニットと、
前記筐体に穿設された第１貫通孔と、
予め定められた場所に位置する前記読取ユニットに、前記第１貫通孔に対向させて穿設された第２貫通孔と、
前記第１貫通孔及び前記第２貫通孔に挿入されることで前記読取ユニットの前記水平方向における移動を制止させて、前記読取ユニットを前記筐体内で固定する挿入部材と、
前記第１貫通孔を塞ぎ、前記挿入部材の挿入方向に伸縮自在な弾性部材とを備え、
前記弾性部材は、前記挿入部材が挿入される前は、前記読取ユニットの前記第２貫通孔の中に入り込まない形状を有し、前記挿入部材が前記挿入方向に挿入されたときに、前記挿入部材の形状に沿って変形して、前記読取ユニットの前記第２貫通孔の中に入り込む形状に変形し、前記挿入部材が前記第１貫通孔及び前記第２貫通孔から抜去されたときに、挿入前の前記第２貫通孔の中に入り込まない形状に復帰する画像読取装置。
【請求項３】
前記弾性部材は、前記第１貫通孔と対向する位置に、前記挿入部材の挿入方向において突出した突部を有する請求項２に記載の画像読取装置。
【請求項４】
前記突部は、その径が当該突部の根本部よりも先端部へ行くほど小さくなる形状とされている請求項３に記載の画像読取装置。
【請求項５】
前記筐体に設けられた凹部と、
前記凹部を閉じるための蓋体と、を更に備え、
前記第１貫通孔は、前記凹部の底部に穿設され、
前記弾性部材は、前記凹部の底面上における前記第１貫通孔の位置に設けられ、
前記挿入部材は、前記凹部を閉じる状態とされている前記蓋体の背面であって、前記第１貫通孔に対向する位置に突設されている請求項２乃至請求項４のいずれかに記載の画像読取装置。
【請求項６】
前記凹部の底部に、前記第１貫通孔とは異なる他の貫通孔を更に備え、
前記蓋体を回転させて、前記他の貫通孔前記挿入部材を挿入した状態で、前記蓋体が前記筐体に装着可能とされている請求項５に記載の画像読取装置。
【請求項７】
筐体と、
前記筐体の上部に設けられた、原稿を載置する原稿載置面と、
前記原稿載置面の下方に配置され、前記筐体内で前記原稿載置面に沿って水平方向に移動可能とされ、前記原稿載置面に載置された原稿の画像を光学的に読み取る読取ユニットと、
前記筐体に穿設された第１貫通孔と、
予め定められた場所に位置する前記読取ユニットに、前記第１貫通孔に対向させて穿設された第２貫通孔と、
前記第１貫通孔及び前記第２貫通孔に挿入されることで前記読取ユニットの前記水平方向における移動を制止させて、前記読取ユニットを前記筐体内で固定する挿入部材と、
一方側は前記第１貫通孔の位置で前記第１貫通孔から突出しつつ前記第１貫通孔内に入り込んで前記挿入部材を受け入れる凹形状を有し、他方側は前記第１貫通孔を閉塞する、前記挿入部材を挿入するための空洞が形成された、塑性変形可能な変形部材と、を備え、
前記変形部材は、前記挿入部材の前記第１貫通孔及び前記第２貫通孔への挿入時における動きに従って変形し、当該挿入時に前記空洞に前記挿入部材が挿入されると、前記閉塞した部分は前記読取ユニットの中に入り込む形状に変形し、前記挿入部材が前記第１貫通孔及び前記第２貫通孔から抜かれて前記空洞から前記挿入部材が抜去されると、前記閉塞した部分が前記筐体の外へ飛び出すように形成されている画像読取装置。
【発明の詳細な説明】
【技術分野】
【０００１】
本発明は、挿入部材及び画像読取装置に関し、特に、複写機等の画像形成装置に備えられるスキャナー等の画像読取装置に関する。
【背景技術】
【０００２】
複写機等に備えられるスキャナー等の画像読取装置は、装置内に原稿を読み取るための光源や反射ミラー等の複数の光学系部材が取り付けられた読取ユニットを備え、プラテンガラス等の原稿載置面上の原稿を走査するため、読取ユニットを水平方向に移動可能に構成されている。また、読取ユニットの光学系部材は、正確な読み取りのため、高い精度で製造され、取り付けられている。
【０００３】
しかしながら、画像読取装置の運搬・輸送の際に、振動・衝撃等により読取ユニットの光学系部材がずれたり、変形したりすることがある。また、読取ユニットは移動可能であるから、画像読取装置の輸送中に、読取ユニットが当該読取ユニットを収容する筐体等に衝突して、読取ユニットが破損してしまうおそれがある。そこで、輸送による読取ユニットの不具合や破損を回避するため、固定用の部材により読取ユニットが動かないように、読取ユニットを固定することが行われている。
【０００４】
このような読取ユニットの固定に関して、下記の特許文献１、２に記載される発明が提案されている。特許文献１には、２つの移動走査体で構成される走査光学系（読取ユニット）を備えた画像形成装置において、一方の移動走査体を画像形成装置の機体に固定する第１の固定部材と、他方の移動走査体と当該第１の固定部材とを固定する第２の固定部材とを備えることが記載されている。これにより、輸送中の振動等による光学系部材の破損等を防止する。
【０００５】
また、特許文献２には、枠体内で移動可能な光学系部材を、一時的固定に使用される固定ピンで当該枠体と固定する構造について記載されている。
【先行技術文献】
【特許文献】
【０００６】
【特許文献１】特開平７−２１９０６７号公報
【特許文献２】特開２００５−０２６９３２号公報
【発明の概要】
【発明が解決しようとする課題】
【０００７】
しかしながら、上記の特許文献１に記載された発明では、画像形成装置の機体及び移動走査体に貫通形成された開口部に、固定部材を差し込むことで、画像形成装置の機体に移動走査体を固定するので、固定部材を取り外した後、開口部が露出し、埃などの異物が開口部から機体内に侵入し、読み取り画像に影響が出るおそれがある。また、上記の特許文献２に記載された発明についても、固定ピンを取り外した後は、同様の問題が生じる。また、読取ユニットの固定を解除する作業を行うのはエンドユーザー（例えば、一般消費者）になることもあるので、当該作業が煩雑になるのは好ましくない。
【０００８】
本発明は、上記の事情に鑑みなされたものであり、読取ユニットの固定を解除する作業を煩雑にすることなく、読取ユニットを収容する筐体内に埃などの異物が侵入するのを防ぐことを目的とする。
【課題を解決するための手段】
【０００９】
本発明の一局面に係る挿入部材は、筐体の上部に設けられた、原稿を載置する原稿載置面の下方に配置され、前記筐体内で前記原稿載置面に沿って水平方向に移動可能とされ、前記原稿載置面に載置された原稿の画像を光学的に読み取る読取ユニットと、前記筐体に穿設された第１貫通孔と、予め定められた場所に位置する前記読取ユニットに、前記第１貫通孔に対向させて穿設された第２貫通孔と、前記第１貫通孔を塞いで伸縮自在な弾性部材とを備える画像読取装置に適用される挿入部材であって、前記第１貫通孔及び前記第２貫通孔に挿入されることで前記読取ユニットの前記水平方向における移動を制止させて、前記読取ユニットを前記筐体内で固定し、前記挿入部材の挿入方向に前記伸縮部材を伸縮させ、前記弾性部材を、前記挿入部材が挿入される前は、前記読取ユニットの前記第２貫通孔の中に入り込まない形状とさせておき、前記挿入部材が前記挿入方向に挿入されたときに、前記挿入部材の形状に沿って変形させて、前記読取ユニットの前記第２貫通孔の中に入り込む形状に変形させ、前記挿入部材が前記第１貫通孔及び前記第２貫通孔から抜去されたときには、挿入前の前記第２貫通孔の中に入り込まない形状に復帰させるものである。
【００１０】
本発明の一局面に係る画像読取装置は、筐体と、前記筐体の上部に設けられた、原稿を載置する原稿載置面と、前記原稿載置面の下方に配置され、前記筐体内で前記原稿載置面に沿って水平方向に移動可能とされ、前記原稿載置面に載置された原稿の画像を光学的に読み取る読取ユニットと、前記筐体に穿設された第１貫通孔と、予め定められた場所に位置する前記読取ユニットに、前記第１貫通孔に対向させて穿設された第２貫通孔と、前記第１貫通孔及び前記第２貫通孔に挿入されることで前記読取ユニットの前記水平方向における移動を制止させて、前記読取ユニットを前記筐体内で固定する挿入部材と、前記第１貫通孔を塞ぎ、前記挿入部材の挿入方向に伸縮自在な弾性部材とを備え、前記弾性部材は、前記挿入部材が挿入される前は、前記読取ユニットの前記第２貫通孔の中に入り込まない形状を有し、前記挿入部材が前記挿入方向に挿入されたときに、前記挿入部材の形状に沿って変形して、前記読取ユニットの前記第２貫通孔の中に入り込む形状に変形し、前記挿入部材が前記第１貫通孔及び前記第２貫通孔から抜去されたとものである。
【００１１】
また、本発明の一局面に係る画像読取装置は、筐体と、前記筐体の上部に設けられた、原稿を載置する原稿載置面と、前記原稿載置面の下方に配置され、前記筐体内で前記原稿載置面に沿って水平方向に移動可能とされ、前記原稿載置面に載置された原稿の画像を光学的に読み取る読取ユニットと、前記筐体に穿設された第１貫通孔と、予め定められた場所に位置する前記読取ユニットに、前記第１貫通孔に対向させて穿設された第２貫通孔と、前記第１貫通孔及び前記第２貫通孔に挿入されることで前記読取ユニットの前記水平方向における移動を制止させて、前記読取ユニットを前記筐体内で固定する挿入部材と、一方側は前記第１貫通孔の位置で前記第１貫通孔から突出しつつ前記第１貫通孔内に入り込んで前記挿入部材を受け入れる凹形状を有し、他方側は前記第１貫通孔を閉塞する、前記挿入部材を挿入するための空洞が形成された、塑性変形可能な変形部材と、を備え、前記変形部材は、前記挿入部材の前記第１貫通孔及び前記第２貫通孔への挿入時における動きに従って変形し、当該挿入時に前記空洞に前記挿入部材が挿入されると、前記閉塞した部分は前記読取ユニットの中に入り込む形状に変形し、前記挿入部材が前記第１貫通孔及び前記第２貫通孔から抜かれて前記空洞から前記挿入部材が抜去されると、前記閉塞した部分が前記筐体の外へ飛び出すように形成されているものである。
【発明の効果】
【００１２】
本発明によれば、挿入部材の抜去という単純な作業で、読取ユニットの固定を解除することができる。また、挿入部材の挿入により読取ユニットが固定された状態でも、挿入部材の抜去により固定が解除された状態でも、挿入部材を挿入するために設けられた第１貫通孔は閉じたままなので、読取ユニットを収容する筐体内に埃などの異物が侵入するのを常時防ぐことができる。従って、読取ユニットの固定を解除する作業を煩雑にすることなく、当該筐体内に埃などの異物が侵入するのを防ぐことができる。
【図面の簡単な説明】
【００１３】
【図１】本発明の第１実施形態に係る画像読取装置を備えてなる、画像形成装置の構造を示した模式的な部分断面正面図である。
【図２】第１実施形態に係る画像読取装置の構造を示した模式的な部分断面正面図である。
【図３】読取ユニットが筐体に固定された状態を示した、画像読取装置を正面から見た断面図である。
【図４】読取ユニットの固定が解除された状態を示した、画像読取装置を正面から見た断面図である。
【図５】筐体に設けられた凹部及びその周辺部を上方から見た斜視図である。
【図６】凹部を閉じる蓋を示した斜視図である。
【図７】凹部の底面上に設けられる弾性部材を示した斜視図である。
【図８Ａ】蓋体が筐体の凹部に装着された状態を示す斜視図である。
【図８Ｂ】画像読取装置の一部を破断して正面上方から見た斜視図であって、読取ユニットが筐体に固定された状態を示す図である。
【図９Ａ】蓋体が筐体から取り外され、読取ユニットの固定が解除された状態を示した図であり、画像読取装置の一部を正面上方から見た斜視図である。
【図９Ｂ】蓋体が筐体から取り外され、読取ユニットの固定が解除された状態を示した図であり、画像読取装置の一部を破断した正面上方から見た斜視図である。
【図１０】挿入部材を有しない蓋を示した斜視図である。
【図１１】第２実施形態に係る画像読取装置における弾性部材を示した斜視図である。
【図１２】第３実施形態に係る画像読取装置における凹部及びその周辺部を模式的に示した正面断面図であり、（Ａ）は読取ユニットの固定が解除された状態を示し、（Ｂ）は読取ユニットが固定された状態を示している。
【発明を実施するための形態】
【００１４】
以下、本発明の一実施形態に係る画像読取装置について図面を参照して説明する。図１は、本発明の第１実施形態に係る画像読取装置を備えてなる、画像形成装置の構造を示した模式的な部分断面正面図である。画像形成装置１は、例えば、コピー機能、プリンター機能、スキャナー機能、及びファクシミリ機能のような複数の機能を兼ね備えた複合機であり、装置本体１１に、操作部４７、原稿給送部６、画像読取装置５、画像形成部１２、定着部１３、及び給紙部１４を含んで構成されている。
【００１５】
操作部４７は、画像形成装置１が実行可能な各種動作及び処理について操作者から画像形成動作実行指示等の指示を受け付ける。操作部４７は、操作者への操作案内等を表示する表示部４７３を備えている。表示部４７３はタッチパネルになっており、操作者は画面表示されるボタンやキーに触れて画像形成装置１を操作することができる。
【００１６】
画像形成装置１で原稿読取動作が行われる場合について説明する。原稿給送部６により搬送されて搬送読取用プラテンガラス１６１を通過する原稿、又は載置読取用プラテンガラス１６２に載置された原稿の画像を、画像読取装置５が光学的に読み取り、そして画像データを生成する。画像読取装置５により生成された画像データは、内臓ＨＤＤ（Hard Disk Drive）、又はネットワーク接続されたコンピューター等に保存される。なお、搬送読取用プラテンガラス１６１及び載置読取用プラテンガラス１６２は、特許請求の範囲における原稿載置面の一例である。
【００１７】
画像読取装置５は、光源や反射ミラー等を有し、水平方向（図中の左右方向）に正逆移動可能な読取ユニット５３と、ＣＣＤ（Charge Coupled Device）センサー等を有するＣＣＤユニット５４とを備えており、画像読取装置５は、光源を使って原稿を照射し、その反射光をＣＣＤセンサーで受光することによって、原稿から画像を読み取る。
【００１８】
画像形成装置１で画像形成動作が行われる場合について説明する。原稿読取動作により生成された画像データや、内臓ＨＤＤに記憶されている画像データ、ネットワーク接続されたコンピューターから受信した画像データ等に基づいて、画像形成部１２が、給紙部１４から給紙される記録紙（記録媒体）としての用紙Ｐにトナー像を形成する。
【００１９】
定着部１３は、熱圧着によりトナー像を用紙Ｐに定着させるものであり、定着処理が施されたカラー画像形成済みの用紙Ｐは、排出トレイ１５１に排出されることになる。給紙部１４は、複数の給紙カセット１４１を備える。
【００２０】
図２は、画像読取装置５の構造を示した模式的な部分断面正面図である。画像読取装置５は、装置カバー５１と、装置カバー５１に収容された筐体５２とを備え、筐体５２の上部に、搬送読取用プラテンガラス１６１及び載置読取用プラテンガラス１６２等が設けられている。読取ユニット５３及びＣＣＤユニット５４は、搬送読取用プラテンガラス１６１及び載置読取用プラテンガラス１６２の下方に配置され、筐体５２内に収容されている。
【００２１】
読取ユニット５３は、光源ユニット６０とミラーユニット７０とを含んで構成され、光源ユニット６０は上方に、ミラーユニット７０は下方に設けられている。光源ユニット６０は、光源６１、導光部６２、及び第１反射ミラー６３を含んで構成されている。ミラーユニット７０は、第２反射ミラー７１、第３反射ミラー７２、及び支持枠７３を含んで構成され、第２反射ミラー７１及び第３反射ミラー７２は支持枠７３に支持されている。
【００２２】
光源６１から照射された光は、導光部６２で導光されて、搬送読取用プラテンガラス１６１又は載置読取用プラテンガラス１６２に向かい、搬送読取用プラテンガラス１６１又は載置読取用プラテンガラス１６２上の原稿に当たる。その反射光を第１反射ミラー６３が、読取ユニット５３の移動方向の上流側（図中の左側）に向けて光を反射する。
【００２３】
その反射光の光路上に、第２反射ミラー７１が設けられており、第２反射ミラー７１が下方に向けて光を反射する。更に、その反射光の光路上に、第３反射ミラー７２が設けられ、第３反射ミラー７２が、読取ユニット５３の移動方向の下流側（図中の右側）に向けて光を反射する。第３反射ミラー７２によって反射された光は、ＣＣＤユニット５４を構成するレンズ５５に集光され、ＣＣＤユニット５４を構成するＣＣＤセンサー５６で結像される。
【００２４】
光源ユニット６０及びミラーユニット７０には、ワイヤー（不図示）が取り付けられ、当該ワイヤーは巻き取りドラム（不図示）に繋げられ、巻き取りドラムが回転することで、光源ユニット６０及びミラーユニット７０は水平方向（図中の左右方向）に移動する。光源ユニット６０は、載置読取用プラテンガラス１６２（原稿載置面）の下方に配置され、筐体５２内で載置読取用プラテンガラス１６２に沿って水平方向に移動可能とされている。
【００２５】
光源ユニット６０とミラーユニット７０とは連結され、光源ユニット６０とミラーユニット７０とは互いに連係しながら移動し、ミラーユニット６０は、光源ユニット７０に対して１／２の速さで移動するようになっている。なお、巻き取りドラムの回転駆動源としては、モーターが挙げられ、モーターの回転で巻き取りドラムを回転させることができる。
【００２６】
次に、図３及び図４を用いて、読取ユニット５３を固定するための機構について説明する。図３は、読取ユニット５３が筐体５２に固定された状態を示した、画像読取装置５を正面から見た断面図である。図４は、読取ユニット５３の固定が解除された状態を示した、画像読取装置５を正面から見た断面図である。なお、図２に示した画像読取装置５と同様の構成部分については、同符号を付し、説明を省略する。
【００２７】
光源ユニット６０は、光源６１と、光源６１を搭載する光源搭載基板６４と、光源搭載基板６４の上面に設けられる導光部６２と、第１反射ミラー６３と、光源搭載基板６４を固定する固定板８０と、を備える。
【００２８】
金属板にプレス処理が施されることによって形成される固定板８０は、光源搭載基板６４を支持する平板状の支持部８１と、この支持部８１の図中右縁部から下方へ向けて折り曲げられた状態で形成された前後方向（紙面垂直方向）に延びる側板部８２と、支持部８１の左方が前後の略全長に亘って凹没されることによって形成された凹没部８３と、凹没部８３の左縁部から左上方に向かって斜めに延設された延設部８４と、延設部８４の左縁部から水平方向に延びる平板状の平板部８５とを備える。また、凹没部８３の真下に第１反射ミラー６３が設けられている。
【００２９】
画像読取装置５は、読取ユニット５３を収容する筐体５２の上部に設けられた凹部９０と、凹部９０を閉じるための蓋体１０１（図３）とを備える。凹部９０の底部には、第１貫通孔９１が穿設されている。図５は、凹部９０及びその周辺部となる筐体５２部分を上方から見た斜視図である。なお、図５には、底部に貫通孔が３つ形成された凹部９０を示しているが、本第１実施形態では、図５における１つの貫通孔が第１貫通孔９１である。また、詳細は後述するが、凹部９０の底面９０Ａ上に、弾性部材１１０（図７）が設けられる。
【００３０】
読取ユニット５３の平板部８５には、読取ユニット５３が予め定められた場所（読取ユニット５３を固定させる場所であり、例えばホームポジション。図３及び図４には読取ユニット５３が予め定められた場所としてホームポジションにある例を示す）に位置するときに、第１貫通孔９１に対向する平板部８５部分に第２貫通孔８６が穿設されている。
【００３１】
挿入部材１０２（図３）は、第１貫通孔９１及び第２貫通孔８６に挿入されることで、光源ユニット６０（読取ユニット５３）を筐体５２内で固定する。また、挿入部材１０２は、蓋体１０１が凹部９０を閉じる状態とされているときに、蓋体１０１の背面であって、第１貫通孔９１に対向する位置に突設されている。
【００３２】
図６は、蓋体１０１を示した斜視図である。なお、蓋体１０１の詳しい構成については、後で説明する。挿入部材１０２は、光源ユニット６０を固定しているが、ミラーユニット７０については直接固定しない。それは、上記したように、光源ユニット６０とミラーユニット７０とは連結され、ワイヤーにより光源ユニット６０とミラーユニット７０とは連携して動くので、ミラーユニット７０を固定しなくても、ミラーユニット７０が大きく移動することはなく、読取ユニット５３全体としては固定されるからである。
【００３３】
なお、ミラーユニット７０の固定をより確実に行うならば、例えば、ミラーユニット７０を構成する支持枠７３を、第１貫通孔９１及び第２貫通孔８６と対向する位置まで延ばし、支持枠７３に当該位置で貫通孔を形成し、当該貫通孔にも移動部材１０２を挿入させればよい。
【００３４】
第１貫通孔９１を塞ぐ弾性部材１１０が、凹部９０の底面９０Ａ上に取り付けられている。また、弾性部材１１０は、挿入部材１０２の挿入方向（第１貫通孔９１及び第２貫通孔８６が並ぶ方向。図６においては上下方向）に伸縮自在である。弾性部材１１０は、挿入部材１０２の挿入前は、図４に示したように、平板部８５（読取ユニット５３）まで到達せず、読取ユニット５３の中に入り込まない。
【００３５】
弾性部材１１０は、挿入部材１０２が第１貫通孔９１及び第２貫通孔８６に対して上記挿入方向に挿入されると、図３に示したように、挿入部材１０２の形状に沿って変形して、読取ユニット５３の第２貫通孔８６の中に入り込む形状に変形する。このとき、弾性部材１０２の先端部は、平板部８５よりも下方に位置することになって、読取ユニット５３の中に入り込む。挿入部材１０２が第１貫通孔９１及び第２貫通孔８６から抜去されると、図４に示したように、挿入前の状態に復帰するように形成されている。
【００３６】
図７は、弾性部材１１０を示した斜視図である。弾性部材１１０は、凹部９０の底面９０Ａ上に取り付けられている状態で第１貫通孔９１と対向する位置に、挿入部材１０２の上記挿入方向に突出した突部１１１を有する。この突部１１１によって、挿入部材１０２を挿入すべき位置を目視で容易に確認することができる。また、突部１１１は、その径が突部１１１の根本部よりも先端部へ行くほど小さくなるように形成されている。なお、突部１１１の先端部の径は、挿入部材１０２の先端部の径よりも大きいか、少なくとも同じである。これにより、挿入部材１０２の第１貫通孔９１及び第２貫通孔８６への挿入時に、挿入部材１０２の先端部を、突部１１１の先端部に円滑に案内することができる。
【００３７】
図８Ａは、蓋体１０１が筐体５２の凹部９０に装着された状態を示す斜視図、図８Ｂは画像読取装置５の一部を破断して正面上方から見た斜視図であって、読取ユニット５３が筐体５２に固定された状態を示す。
【００３８】
図９Ａは、蓋体１０１が筐体５２から取り外され、読取ユニット５３の固定が解除された状態を示した図であり、画像読取装置５の一部を正面上方から見た斜視図である。図９Ｂは、蓋体１０１が筐体５２から取り外され、読取ユニット５３の固定が解除された状態を示した図であり、画像読取装置５の一部を破断した正面上方から見た斜視図である。
【００３９】
筐体５２の上部に設けられた凹部９０の周囲に、蓋体１０１の蓋体１０１を支持する支持部９３が形成されている。蓋体１０１を構成する蓋体１０１の一端部の下面には、フック係止部１０３（図６）が設けられ、支持部９３の一端部に設けられた係止部９４（図９Ａ）と係合する。また、蓋体１０１の他端部には、操作部１０１Ａ（図６）が一体的に形成されると共に、当該他端部の下面には、Ｕ字形状の弾性変位部１０４（図６）が設けられ、弾性変位部１０４は、支持部９３の他端部に設けられた係合凹部９５（図９Ａ，図９Ｂ）と係合する。
【００４０】
弾性変位部１０４の長手方向は、係合凹部９５の長手方向の長さと略同じ長さである。また、弾性変位部１０４は、薄く形成されており、当該長手方向に直交する方向に弾性変位自在になっている。そのため、蓋体１０１の凹部９０への取付時に、操作部１０１Ａを筐体５２の内部に向かって強く押すことによって、弾性変位部１０４を支持部９３に沿って弾性変位させることができる。
【００４１】
これにより、図９Ａ，図９Ｂに示した状態から、蓋体１０１のフック係止部１０３を係止部９４と係合させ、その後、蓋体１０１で凹部９０を閉じると、弾性変位部１０４と係合凹部９５とが係合するので、蓋体１０１を筐体５２に装着することができ、蓋体１０１で凹部９０を閉じた状態となる。すなわち、蓋体１０１は、図８Ａに示した状態となる。このとき、挿入部材１０２（図３）が、第１貫通孔９１及び第２貫通孔８６に挿入されることになり、光源ユニット６０（読取ユニット５３）の移動が制止され、読取ユニット５３を筐体５内で固定する。
【００４２】
また、図８Ａに示した状態から、操作部１０１Ａを操作して、弾性変位部１０４と係合凹部９５との係合を解除させ、その後、フック係止部１０３と係止部９４との係合部分を支点にし、蓋体１０１を引き上げると、フック係止部１０３と係止部９４との係合が解除されるので、蓋体１０１を筐体５２から取り外すことができる。
【００４３】
すなわち、挿入部材１０２を有する蓋体１０１は筐体５２から取り外され、図９Ａに示した状態となる。このとき、第１貫通孔９１及び第２貫通孔８６は挿入部材１０２によっては貫通されていないので、読取ユニット５３は筐体５２内で固定されず、読取ユニット５２の水平方向への移動は妨げられない。なお、蓋体１０１を筐体５２から取り外した後は、例えば、図１０に例を示すような、挿入部材１０２を有しない蓋体１０１Ａを、筐体５２に装着すればよい。
【００４４】
上記第１実施形態では、蓋体１０１を筐体５２から取り外すことによって、挿入部材１０２を抜去するという単純な作業で、読取ユニット５３の固定を解除することができる。また、読取ユニット５３が固定された状態でも、固定が解除された状態でも、挿入部材１０２を挿入するために設けられた第１貫通孔９１は弾性部材１１０で塞がれたままなので、読取ユニット５３を収容する筐体５２内に埃などの異物が第１貫通孔９１から侵入するのを防ぐことができる。従って、読取ユニット５３の固定を解除する作業を煩雑にすることなく、筐体５２内に埃などの異物が侵入するのを防ぐことができる。
【００４５】
なお、上記第１実施形態では、蓋体１０１を筐体５２から取り外して読取ユニット５３の固定を解除した後、蓋体１０１とは異なる別の蓋体１０１Ａを筐体５２に装着する場合について説明しているが、第２実施形態では、別の蓋１０１Ａを用いるのではなく、蓋体１０１を回転させて、図５に示される他の貫通孔９８に挿入部材１０２を挿入し、第１貫通孔９１には挿入部材１０２を挿入しないようにして、蓋体１０１を筐体５２に装着するようにしてもよい。
【００４６】
図１１は、第２実施形態に係る弾性部材を示した斜視図である。弾性部材１１０Ａは、第１貫通孔９１と対向する位置以外に、他の貫通孔９８と対向する位置に、挿入部材１０２の挿入方向に突出した突部１１２を有する。当該第２実施形態に係る弾性部材１１０Ａによれば、弾性部材１１０Ａの取付時に、第１貫通孔９１及び他の貫通孔９８の両方を閉じることが可能である。
【００４７】
図１２は、第３実施形態に係る画像読取装置５における筐体５２の上部に設けられた凹部９０及びその周辺部を模式的に示した正面断面図であり、（Ａ）は挿入部材１０２が挿入されずに読取ユニット５３の固定が解除された状態を示し、（Ｂ）は挿入部材１０２が挿入されて読取ユニット５３が固定されている状態を示している。
【００４８】
上記第３実施形態では、弾性部材１１０の代わりに、凹部９０の底面９０Ａに、塑性変形可能な変形部材１２０が設けられている。この点で、上記第３実施形態は、上記第１実施形態と相違する。変形部材１２０には、一方側は第１貫通孔９１の位置で第１貫通孔９１から突出しつつ第１貫通孔９１内に入り込んで挿入部材１０２を受け入れる凹形状を有し、他方側は第１貫通孔９１を閉塞する、挿入部材１０２を挿入するための空洞が形成されている。変形部材１２０は、挿入部材１０２が第１貫通孔９１に挿入されていない状態で、第１貫通孔９１から筐体５２への埃などの異物の侵入を防ぐ。
【００４９】
空洞１２１に挿入部材１０２が挿入されると、図１２（Ｂ）に示すように、変形部材１２０は、挿入部材１０２の上記挿入方向への動きに従って変形する。このとき、挿入部材１０２の上記挿入方向への移動に伴って、閉塞部１２２は光源ユニット６０（読取ユニット５３）の中に入り込む。また、空洞１２１から挿入部材１０２が抜去されると、変形部材１２０は、閉塞部１２２が筐体５２の外へ飛び出して、図１２（Ａ）に示す状態に復帰するように形成されている。これにより、当該第３実施形態でも上記第１実施形態と同様の効果が発揮される。
【００５０】
なお、本発明は上記実施の形態の構成に限られず種々の変形が可能である。また、上記実施形態では、本発明に係る画像読取装置の一実施形態として複合機を用いて説明しているが、これは一例に過ぎず、例えば、コピー機能、ファクシミリ機能、スキャナー機能等を有した他の画像読取装置でもよい。
【００５１】
また、上記実施形態では、図１乃至図１２を用いて上記実施形態により示した構成及び処理は、本発明の一実施形態に過ぎず、本発明を当該構成及び処理に限定する趣旨ではない。
【符号の説明】
【００５２】
５        画像読取装置
５２      筐体
５３      読取ユニット
８６      第２貫通孔
９０      凹部
９１      第１貫通孔
１０１    蓋体
１０２    挿入部材
１１０、１１０Ａ    弾性部材
１１１、１１２    突部
１２０    変形部材
１２１    空洞
１６１    搬送読取用プラテンガラス
１６２    載置読取用プラテンガラス
【図１】
2018207158.tif 000003
【図２】
2018207158.tif 000004
【図３】
2018207158.tif 000005
【図４】
2018207158.tif 000006
【図５】
2018207158.tif 000007
【図６】
2018207158.tif 000008
【図７】
2018207158.tif 000009
【図８Ａ】
2018207158.tif 000010
【図８Ｂ】
2018207158.tif 000011
【図９Ａ】
2018207158.tif 000012
【図９Ｂ】
2018207158.tif 000013
【図１０】
2018207158.tif 000014
【図１１】
2018207158.tif 000015
【図１２】
2018207158.tif 000016